(57)【要約】      （修正有）【課題】玄関先、屋上、ベランダ、ルーフバルコニー、風呂場、台所等に敷設されるクッション、滑り止め、防音機能を備え、敷設作業や交換作業を容易にした内外装用建築マットを提供する。【解決手段】合成樹脂製の基台２にエラストマー板３を接着して固定した内外装用建築マット１において、合成樹脂製の基台は多角形でありその外枠がその側面に備えられた嵌合凸部２０と嵌合凹部２１により隣接する建築マットと連結するように構成されていて、エラストマー板は合成樹脂製の基台と略同一形状であるように構成する。【選択図】図１
0003185565.tif 000002
【実用新案登録請求の範囲】
【請求項１】
合成樹脂製の基台にエラストマー板を接着して固定した内外装用建築マットであって、
前記合成樹脂製の基台は多角形でありその外枠がその側面に備えられた嵌合凸部と嵌合凹部により隣接する建築マットと連結するように構成されていて、前記エラストマー板は前記合成樹脂製の基台と略同一形状であることを特徴とする内外装用建築マット。
【請求項２】
請求項１に記載の内外装用建築マットにおいて、
前記合成樹脂製の基台は略正方形であることを特徴とする内外装用建築マット。
【請求項３】
請求項１又は請求項２のいずれかに記載の内外装用建築マットにおいて、
前記エラストマー板はスチレン・ブタジエンゴムであることを特徴とする内外装用建築マット。
【請求項４】
請求項１又は請求項２のいずれかに記載の内外装用建築マットにおいて、
前記エラストマーはエチレン・プロピレン・ジエンゴムであることを特徴とする内外装用建築マット。
【考案の詳細な説明】
【技術分野】
【０００１】
本考案は、玄関先、屋上、ベランダ、ルーフバルコニー、風呂場、台所等に敷設されるクッション、滑り止め、防音機能を備える内外装用建築マットに関する。
【背景技術】
【０００２】
従来、玄関先、屋上、ベランダ、ルーフバルコニー、風呂場、台所等にクッション、滑り止め、防音機能を備えるようにするためには、床材それ自体にクッション、滑り止め、防音機能を有する素材を用いなければならなかったが、その機能上木材、コンクリートや金属に比べて耐久性の劣る材料を用いざるをえず、老朽化後に機能を回復させるためには床剤の交換作業のためには再度工事をしなければならない等の問題があった。
【０００３】
このため、近年では、上述したような交換作業の困難性等の問題点を解決するために、床面等の上に敷設するシート状のマットや、略方形のマットの周縁部に凹凸を設けることにより敷設、撤去の作業が容易になるようなマットが用いられるようになってきている（例えば、特許文献１，２等参照）。
【０００４】
すなわち、従来この種のマットにおいて、特許文献１の衝撃音吸収マットでは、シート状のマットを、複数の層を備えるように構成することとしている。
【０００５】
また、特許文献２の連結用ブロックでは、発泡合成樹脂、非発泡合成樹脂、合成ゴム等のエラストマーからなるブロックの周縁部に凹凸パターンを形成して嵌合させて並べて敷設するように構成することとしている。
【先行技術文献】
【特許文献】
【０００６】
【特許文献１】特開平７−３２５２１号公報
【特許文献２】特開２００２−３２７４０１号公報
【考案の概要】
【考案が解決しようとする課題】
【０００７】
しかし、上述した従来のマットでは、マットを敷設する床面や地面に凹凸がある場合に、マット表面がその凹凸に沿った形状になってしまい、床面の安定性を欠く場合があるという問題があった。
【０００８】
またシート状のマットを並べて敷設するだけでは、マットの境目がずれてしまったり、周縁部がめくれてしまったりするなどの問題もあり、ブロックの周縁部に凹凸パターンを形成して嵌合させて並べて敷設するものも敷設する面をあらかじめほぼ完全に平坦に施工しておかなければならないという問題があった。
【０００９】
さらに、シート状のマットでは施工の際に切断などの作業が必要である。
その一方において、この種のマットは、材質が劣化したりデザインを変更したりしたくなった際に簡単に交換できること等も望まれているものであって、このような相反する要求に応えることができることが要望されている。
【００１０】
本考案はこのような事情に鑑みてなされたものであり、内外装用建築マットにおいて、施工が容易でありながら敷設状態が安定していて、クッション、滑り止め、防音機能を備える内外装用建築マットを得ることを目的とする。
【課題を解決するための手段】
【００１１】
このような目的に応えるために本考案（請求項１記載の考案）に係る内外装用建築マットは、合成樹脂製の基台にエラストマー板を接着して固定した内外装用建築マットであって、前記合成樹脂製の基台は多角形でありその外枠がその側面に備えられた嵌合凸部と嵌合凹部により隣接する建築マットと連結するように構成されていて、前記エラストマー板は前記合成樹脂製の基台と略同一形状であることを特徴とする。
【００１２】
本考案（請求項２記載の考案）に係る内外装用建築マットは、請求項１に記載の内外装用建築マットにおいて、前記合成樹脂製の基台は略正方形であることを特徴とする。
【００１３】
本考案（請求項３記載の考案）に係る内外装用建築マットは、請求項１又は請求項２のいずれかに記載の内外装用建築マットにおいて、前記エラストマー板はスチレン・ブタジエンゴム（以下ＳＢＲゴムという。）であることを特徴とする。
【００１４】
本考案（請求項４記載の考案）に係る内外装用建築マットは、請求項１又は請求項２のいずれかに記載の内外装用建築マットにおいて、前記エラストマー板はエチレン・プロピレン・ジエンゴム（以下ＥＰＤＭゴムという。）であることを特徴とする。
【考案の効果】
【００１５】
以上説明したように本考案に係る内外装用建築マットによれば、前記内外装用建築マットの合成樹脂製の基台の外枠の側面に備えられた嵌合凸部と嵌合凹部により隣接する建築マットと連結するように構成されているので、敷設作業は容易であるが周縁部がずれることはなく、交換作業も容易である。
【００１６】
さらに、合成樹脂製の基台を備えることから敷設した床面等に凹凸があってもその凹凸はマットの表面形状に影響を与えることはない。
【図面の簡単な説明】
【００１７】
【図１】本考案に係る内外装用建築マットの一実施形態を示す斜視図である。
【図２】図１の内外装用建築マットの部品である基台部を示す斜視図である。
【図３】本考案に係る外装用建築マットの他の実施形態を示す平面図である。
【図４】図３の内外装用建築マットの連結例を示す概略平面図である。
【図５】本考案に係る外装用建築マットの他の実施形態を示す平面図である。
【図６】図５の内外装用建築マットの連結例を示す概略平面図である。
【考案を実施するための形態】
【００１８】
本考案は以上のような構成であるので、これを図面に基づきながら本発明の実施の形態を説明する。
【実施例１】
【００１９】
図１乃至図２は本考案に係る内外装用建築マットの一実施例を示す。
これらの図において、全体を符号１で示すものは本考案を特徴づける内外装用建築マットである。
【００２０】
ここで、上述した内外装用建築マット１は、合成樹脂からなる略正方形の基台２の上面にエラストマー板３を接着するように構成されていて、エラストマー板は適宜の材質で形成され、その表面には、適宜の色彩、その他模様などが必要に応じて付されている。
【００２１】
前記略正方形の基台２は、玄関先、屋上、ベランダ、ルーフバルコニー、風呂場、台所等に敷設に敷設できる大きさ、例えば３０ｃｍ角の正方形状の板材である。
また、図中２０は前記略正方形の基台２に設けられた嵌合凸部であり、２１は前記嵌合凸部が係合する嵌合凹部であり、それぞれが前記略正方形の基台２の各々二辺ずつの側面部に突設または凹設されている。
【００２２】
本実施形態において、前記エラストマー板３の材質を、スチレン・ブタジエンゴムとすることができる。
【００２３】
ＳＢＲゴムは耐水性、耐アルコール性、耐塩基性、磨耗耐性に優れ、硬度特性も良好であり、滑り止め効果、クッション効果、防音効果があり、屋内屋外を問わず敷設できるので、本考案に係る内外装用建築マットの表面のエラストマー板３の材料に適している。
【００２４】
また、ＳＢＲゴムは価格も比較的安価であり、一定期間経過後に交換することを前提とする本考案に係る内外装用建築マット１の材料に適している。
【００２５】
また、本実施形態において、前記エラストマー板３の材質を、エチレン・プロピレン・ジエンゴムとすることができる。
【００２６】
ＥＰＤＭゴムは耐候性、耐熱性、耐寒性、耐オゾン性、耐老化性、耐水性に優れ、滑り止め効果、クッション効果、防音効果があり、屋内屋外を問わず敷設できるので、本考案に係る内外装用建築マットの表面のエラストマー板３の材料に適している。
【００２７】
また、ＥＰＤＭゴムは比重が市販されているエラストマー素材の中で最も小さいものの一つであり、大量に運搬することがある本考案に係る内外装用建築マット１の材料に適している。
【００２８】
前記エラストマー板３を製造するには、素材となるエラストマーを細断し、それと粘着剤とを混ぜ合わせた上で型に入れ、熱整形すると、快適なクッション性を得るための適切な強度を得ることができる。
【００２９】
熱整形に際して、エラストマー板３の厚さを５ミリメートルから５０ミリメートルとすると快適なクッション性を得るための適切な強度を得ることができる。
【００３０】
特に、製品の施工、運搬及び使用者の感じる柔軟性の快適さを勘案し、エラストマー板３の厚さは８ミリメートルから１０ミリメートルとすることが望ましい。
【実施例２】
【００３１】
図３乃至図４は本考案に係る内外装用建築マットの他の実施例を示す。
【００３２】
本実施例において、合成樹脂の基台は略正三角形に形成され、嵌合凸部２０と嵌合凸部２０が係合する嵌合凹部２１が、各辺の側面部に交互に突設または凹設されている。
【００３３】
この内外装用建築マットを連結させた例の概略図が図４である。
【実施例３】
【００３４】
図５乃至図６は本考案に係る内外装用建築マットの他の実施例を示す。
【００３５】
本実施例において、合成樹脂の基台は略正六角形に形成され、嵌合凸部２０と嵌合凸部２０が係合する嵌合凹部２１が、各辺の側面部に交互に突設または凹設されている。
【００３６】
この内外装用建築マットを連結させた例の概略図が図６である。
【００３７】
なお、本考案は上述した実施の形態で説明した構造には限定されず、各部の形状、構造等を適宜変形、変更し得ることはいうまでもない。
例えば、内外装用建築マットの形状を略正三角形や略正六角形とした場合に、連結して組み合わせたマットの周縁部を直線とするために、二等辺三角形や直角三角形のマットと組み合わせてもよい。
【００３８】
さらに、三角形の場合は正三角形ではなく二等辺三角形でもよいし、六角形であれば２つの等脚台形の長い方の底辺同士を合わせた形のものであればよい。
【００３９】
上述したエラストマー板は製造の際に彩色したり模様を印刷したりすることもできるので、隙間なく敷設できる形状の組み合わせであれば、同じ形のマットだけを組み合わせるのではなく、いくつもの種類の形状のマットを組み合わせて、複雑な模様を作り上げることもできる。
【００４０】
また、上述した実施形態では、エラストマー板３を、耐久性や耐候性に優れた樹脂であって、こうした内外装用建築マットとして一般的な樹脂材料、例えば、ＰＥ（ポリエチレン）やＥＶＡ（エチレン・酢酸ビニル共重合樹脂）から型成型したものを用いるとよい。勿論、これに限定されないことも言うまでもない。
【００４１】
エラストマー板の材質についても、適宜発泡弾性体などを採用することは自由である。
【符号の説明】
【００４２】
１  内外装用建築マット
２  基台
３  エラストマー板
２０  嵌合凸部
２１  嵌合凹部
【図１】
0003185565.tif 000003
【図２】
0003185565.tif 000004
【図３】
0003185565.tif 000005
【図４】
0003185565.tif 000006
【図５】
0003185565.tif 000007
【図６】
0003185565.tif 000008